(57)【特許請求の範囲】
【請求項１】
吸込口および吹出口を有するキャビネットに、熱交換器とファンとが内装され、吸込口を開閉する開閉パネルと、開閉パネルを保持してキャビネットに対して移動させる移動体と、移動体に開閉パネルを移動させるための駆動力を与える駆動部とが設けられ、吸込口と熱交換器との間に、フィルタが長手方向の左右にそれぞれ設けられ、キャビネットの長手方向の中央に、左右のフィルタを保持するためのセンタ枠が設けられ、移動体および駆動部は、開閉パネルに対して長手方向の中央に配置され、センタ枠の前方に位置し、移動体は、開閉パネルの長手方向の中央を保持し、開閉パネルが閉じたときに、開閉パネルの長手方向の中央が左右両側よりもキャビネットに近づくように移動できるスペースが設けられることを特徴とする空気調和機。
【請求項２】
キャビネットに、開閉パネルを移動可能に支持する支持パネルがキャビネットから離れることができるように設けられ、駆動部は、キャビネットに設けられ、折り畳み可能な移動体は、支持パネルに設けられて駆動部に接続されることを特徴とする請求項１記載の空気調和機。
【請求項３】
支持パネルは、キャビネットに開閉可能に取り付けられ、開閉パネルが移動するとき、支持パネルがキャビネットに固定されることを特徴とする請求項２記載の空気調和機。
【請求項４】
開閉パネルの移動時に移動体と駆動部との接続を保持する固定部が設けられ、固定部は、駆動部の近くに配置されることを特徴とする請求項１〜３のいずれかに記載の空気調和機。
【発明の詳細な説明】
【技術分野】
【０００１】
本発明は、キャビネットの吸込口を開閉可能とした空気調和機に関する。
【背景技術】
【０００２】
空気調和機の室内機では、吸込口と吹出口とが形成されたキャビネットに、熱交換器とファンが内装される。吹出口に導風パネルが設けられ、吹出口が開閉される。ここで、吸込口が前方から見えないように、前面の吸込口を覆う開閉パネルが開閉可能に設けられる。運転時に、開閉パネルが移動して、吸込口が開かれる。
【０００３】
開閉パネルの開閉機構は、例えば駆動モータ、減速機構、減速機構に噛合する駆動ギア、駆動ギアに連結された駆動軸、駆動軸に連結されたリンク機構から構成される。リンク機構は、開閉パネルの長手方向に沿って複数設けられる。開閉パネルに設けられた駆動ギアは、長手方向の一側において駆動ギアに連結される。
【０００４】
長手方向に長い開閉パネルでは、ねじり強度が不足していると、自身の重量によりパネルにねじれが生じるおそれがある。開閉パネルが開いているときにねじれが生じると、開閉パネルの長手方向の左右で開き度合いが異なり、開閉パネルが歪んだようになって、見栄えが悪くなる。そこで、特許文献１に記載された空気調和機では、駆動ギアに近いリンク機構が遠いリンク機構よりも遅れて動作するように構成され、開閉パネルの左右での開きに差が生じないようにされる。
【先行技術文献】
【特許文献】
【０００５】
【特許文献１】特開２００８−２６１５３３号公報
【発明の概要】
【発明が解決しようとする課題】
【０００６】
開閉パネルの長手方向に複数のリンク機構があると、開閉パネルが閉じるとき、開閉パネルの長手方向の左右のそれぞれのリンク機構の動作に差が生じる。そのため、開閉パネルが閉じたとき、開閉パネルとキャビネットとの隙間が駆動ギアに近い側と遠い側で不均一になり、開閉パネルが長手方向において傾いた状態となり、見栄えが悪くなる。このような隙間の不均一を解消するために、閉じた開閉パネルを閉位置までさらに移動させる補助的な駆動力、例えばばねの付勢力を付加することが考えられる。しかし、開閉パネルを開くとき、駆動モータのトルクを大きくしなければならないという弊害が生じる。
【０００７】
本発明は、上記に鑑み、長手方向の左右両側に不均一な動きが生じないように開閉パネルを開閉することができる空気調和機の提供を目的とする。
【課題を解決するための手段】
【０００８】
本発明は、吸込口および吹出口を有するキャビネットに、熱交換器とファンとが内装され、吸込口を開閉する開閉パネルと、開閉パネルを保持してキャビネットに対して移動させる移動体と、移動体に開閉パネルを移動させるための駆動力を与える駆動部とが設けられたものである。移動体および駆動部は、開閉パネルに対して長手方向の中央に配置され、移動体は、開閉パネルの長手方向の中央を保持する。
【０００９】
開閉パネルの長手方向の左右が不均一な状態になっていても、長手方向の中央が開閉パネルの動作の中心となる。開閉パネルは、開閉のために軸周りに回動する、あるいはキャビネットに対して平行移動する。開閉パネルが開閉するとき、駆動力が確実に移動体に伝わり、開閉パネルの移動を安定して行える。
【００１０】
キャビネットに、開閉パネルを移動可能に支持する支持パネルがキャビネットから離れることができるように設けられ、駆動部は、キャビネットに設けられ、移動体は、支持パネルに設けられて駆動部に接続される。
【００１１】
支持パネルはキャビネットに対して軸周りに回動可能に保持される、あるいは着脱可能に保持される。開閉パネルは支持パネルに対して移動するので、開閉パネルの移動中、移動体と駆動部との接続部分は移動しない。したがって、安定して駆動力を伝えることができる。
【００１２】
支持パネルは、キャビネットに開閉可能に取り付けられ、開閉パネルが移動するとき、支持パネルがキャビネットに固定される。支持パネルに設けられた移動体の位置ずれを防ぐことができるので、開閉パネルの移動中、移動体と駆動部との接続が保たれる。
【００１３】
開閉パネルの移動時に移動体と駆動部との接続を保持する固定部が設けられ、固定部は、駆動部の近くに配置される。固定部が支持パネルを駆動部の近くでキャビネットに対して固定することにより、移動体と駆動部との接続部分の位置がずれない。
【００１４】
開閉パネルが閉じたときに、開閉パネルの長手方向の中央が左右両側よりもキャビネットに近づくように移動できるスペースが設けられる。開閉パネルが閉じたとき、開閉パネルの長手方向の左右のいずれか一側がキャビネットから離れていても、開閉パネルの中央をキャビネット側にさらに移動させることができるので、開閉パネルとキャビネットとの隙間をなくすことができる。
【発明の効果】
【００１５】
本発明によると、開閉パネルがねじれて、左右が不均一な状態になっている場合でも、開閉パネルを開閉するための駆動力を確実に確保することができ、安定して開閉パネルを移動させることができる。
【図面の簡単な説明】
【００１６】
【図１】本発明の空気調和機の室内機の断面図
【図２】室内機の正面図
【図３】前面パネルの斜視図
【図４】前面パネルの断面図
【図５】前方から見た前面パネルの分解斜視図
【図６】後方から見た前面パネルの分解斜視図
【図７】開閉パネルを開いたときの室内機の断面図
【図８】支持パネルを開いたときの室内機の断面図
【図９】開閉パネルが閉じているときの固定部を示す図
【図１０】開閉パネルが開いているときの固定部を示す図
【図１１】支持パネルが開いているときの固定部を示す図
【図１２】第２実施形態の室内機の平面図
【発明を実施するための形態】
【００１７】
（第１実施形態）
本実施形態の空気調和機は、室内機と室外機とからなるセパレート型である。図１、２に示すように、室内機には、キャビネット１の天面に室内空気を吸い込む吸込口２が形成され、キャビネット１の前面下部に吹出口３が形成されている。キャビネット１の内部には、吸込口２から吹出口３に至る空気通路４が形成され、この空気通路４に室内熱交換器５と室内ファン６が配置されている。室内熱交換器５は、室内ファン６の前方および上方を取り囲む。吸込口２と室内熱交換器５との間には、吸込口２から吸い込まれた空気に含まれる塵埃を捕集するフィルタが設けられている。２枚のフィルタが長手方向の左右にそれぞれ配される。
【００１８】
キャビネット１は、背面板１０および前面パネル１１によって構成される。背面板１０に、室内熱交換器５および室内ファン６が装着される。前面パネル１１は、背面板１０に着脱可能に取り付けられる。図３〜６に示すように、前面パネル１１の上面に吸込口２が形成され、前面パネル１１の前面に開口１２が形成され、この開口１２が下側の吸込口２となる。開口１２を覆う開閉パネル１３が前面パネル１１に開閉可能に設けられる。開閉パネル１３が開いたとき、開口１２が露出する。開閉パネル１３が閉じているとき、開口１２は塞がれ、キャビネット１内への埃などの異物の侵入が防がれる。
【００１９】
前面パネル１１の開口１２と吹出口３との間に、ドレンパンユニット１４が設けられる。ドレンパンユニット１４は背面板１０に取り付けられる。ドレンパンユニット１４は、ドレンパンを有し、ドレンパンは室内熱交換器５の下方に配置される。ドレンパンユニット１４は、空気通路４の一部を形成する。ドレンパンユニット１４の前面の開口が吹出口３に連通される。
【００２０】
ドレンパンユニット１４に、吹出口３を開閉するルーバ１５が開閉可能に設けられるとともに、風向板１６も設けられる。ルーバ１５は、軸周りに回動して、上向きあるいは下向きに送風方向を変える。
【００２１】
室内熱交換器５の前方に、フィルタを清掃するフィルタ清掃装置２０が設けられる。フィルタ清掃装置２０は、フィルタを移動させながらフィルタに付着した塵埃を除去するものである。フィルタ清掃装置２０は、フィルタを掃除する回転ブラシ２１と、除去された塵埃を収容するダストボックス２２と、フィルタを移動させるためのピニオン２３と、フィルタの移動をガイドするフィルタガイド２４とを有する。
【００２２】
図７、８に示すように、開閉パネル１３がキャビネット１に対して移動することにより、吸込口２が開閉される。開閉パネル１３は、支持パネル３０に回動可能に支持される。支持パネル３０は、キャビネット１から離れることができるように設けられる。すなわち、支持パネル３０は、キャビネット１に回動可能に取り付けられ、キャビネット１に対して開閉可能とされる。開閉パネル１３の長手方向の幅は、前面パネル１１の長手方向の幅と同じとされ、開閉パネル１３が支持パネル３０の前面および長手方向の左右両側を覆う。支持パネル３０に開口３１が形成され、この開口３１は前面パネル１１の開口１２に連通している。
【００２３】
支持パネル３０は、上軸３２周りに回動可能に前面パネル１１に支持される。支持パネル３０の長手方向の左右両端の上部に支持片３３が突設され、支持片３３に上軸３２およびガイドピン３４が形成される。前面パネル１１の前面上部の左右両端に、上軸３２を回動可能に支持するための挿入孔３５が形成され、支持片３３が挿入孔３５に挿入される。図４に示すように、挿入孔３５には、断面がＤ形に形成された上軸３２を支える支持溝３６が形成される。支持パネル３０が開閉するとき、上軸３２は支持溝３６に回動可能に支持され、支持パネル３０がキャビネット１に着脱されるとき、上軸３２は支持溝３６をスライドする。
【００２４】
支持パネル３０の左右両端の下部に、抜け出し防止用の保持片３７がそれぞれ形成される。前面パネル１１の前面下部の左右両端に、保持片３７を保持する受け孔３８が形成される。保持片３７が受け孔３８に挿入されると、受け孔３８内に形成された爪３９に保持片３７の先端に形成されたピン４０が引っ掛かる。支持パネル３０の下部がキャビネット１から抜け出ないように保持される。
【００２５】
開閉パネル１３は、下軸４１周りに回動可能に支持パネル３０に支持される。支持パネル３０の左右の両側面の下部に下軸４１が形成され、開閉パネル１３の左右の側面の下部が下軸４１に嵌められる。開閉パネル１３は下軸４１を中心にして開閉される。支持パネル３０は上軸３２を中心にして開閉される。
【００２６】
上記のように、開閉パネル１３はキャビネット１に対して開閉可能に設けられている。すなわち、開閉パネル１３は、キャビネット１から離れたり、キャビネット１に近づいたりして、キャビネット１に対して移動可能とされる。開閉パネル１３を開閉するために、開閉パネル１３を保持してキャビネット１に対して移動させる移動体４２と、移動体４２に開閉パネル１３を移動させるための駆動力を与える駆動部４３とが設けられる。
【００２７】
図１，７に示すように、移動体４２は、支持パネル３０に設けられ、２本のリンク４４，４５と従動ギア４６とから構成される。第１リンク４４は、左右一対のリンクを隙間をあけて平行に並べたものであり、第１リンク４４の後端が支持パネル３０に回動可能に取り付けられる。第２リンク４５は、第１リンク４４に挟まれて、第１リンク４４の先端に回動可能に接続される。開閉パネル１３は第２リンク４５の先端に回動可能に取り付けられる。
【００２８】
従動ギア４６は、セクタギアとされ、第１リンク４４の後端に一体的に設けられる。従動ギア４６に軸４７が形成され、軸４７は支持パネル３０に回動可能に支持される。軸４７の両側に第１リンク４４の各リンクが固定され、第１リンク４４と従動ギア４６は一体的に回動する。
【００２９】
駆動部４３は、キャビネット１に設けられたモータ５０と従動ギア４６に噛み合う駆動ギア５１とから構成される。モータ５０は背面板１０に取り付けられ、カバーで隠されている。駆動ギア５１は、背面板１０に回動可能に取り付けられ、モータギアに減速ギアを介して接続される。モータ５０が駆動されると、駆動ギア５１が回転し、従動ギア４６が回転する。モータ５０からの駆動力が従動ギア４６に伝わり、従動ギア４６の回転に伴って第１リンク４４および第２リンク４５が移動して、開閉パネル１３が開閉される。
【００３０】
そして、移動体４２および駆動部４３は、開閉パネル１３に対して長手方向の中央に配置される。移動体４２の第１リンク４４は、支持パネル３０の上部の長手方向の中央に配置され、第２リンク４５は、開閉パネル１３の上部の長手方向の中央を保持する。駆動部４３のモータ５０は、キャビネット１の上部の長手方向の中央に配置される。これにより、開閉パネル１３の長手方向の中央に対して、駆動力が作用する。
【００３１】
開閉パネル１３が開閉するとき、駆動部４３の駆動力が移動体４２に確実に伝わるように、支持パネル３０はキャビネット１に対して固定される。そこで、移動体４２と駆動部４３との接続を保持する固定部５５が設けられる。固定部５５は支持パネル３０に設けられたフック５６と、キャビネット１に設けられた係止部５７とから構成される。フック５６が係止部５７に係止されると、支持パネル３０はキャビネット１に対して移動しない。
【００３２】
フック５６は、図６に示すように、支持パネル３０の上部の長手方向の中央に形成される。係止部５７は、図５に示すように、前面パネル１１の上部の長手方向の中央に形成された凹みとされ、フック５６が出入り可能とされる。この凹みは、前壁と左右の側壁により三方が囲まれている。フック５６が係止部５７に嵌められると、係止部５７の前壁および左右の側壁にフック５６が当接して、支持パネル３０の前方向および左右方向の動きが規制される。
【００３３】
開閉パネル１３が閉じているとき、第１リンク４４に対して第２リンク４５が折り畳まれ、第２リンク４５は第１リンク４４の隙間に入り込んでいる。また、従動ギア４６は、支持パネル３０の上部の隅に位置している。このように、開閉パネル１３が閉じているとき、コンパクトになった移動体４２が支持パネル３０と前面パネル１１との間の隙間に納まる。しかも、駆動部４３も前面パネル１１の上部の前側の隅に位置している。したがって、キャビネット１の空きスペースに開閉パネル１３を開閉するための部材を配置することができ、キャビネット１に専用の収容スペースを設ける必要がなく、キャビネット１内のスペースを有効的に活用できる。
【００３４】
キャビネット１に支持パネル３０を取り付けるとき、ユーザは、支持パネル３０を水平な状態にして、支持片３３を挿入孔３５に差し込む。上軸３２が支持溝３６に嵌まり、開閉パネル１３が上軸３２を中心に回動しながら、後方に向かって押し込まれる。ガイドピン３４が上軸３２周りに回動しながら、挿入孔３５にガイドされて、上軸３２よりも後側に移動する。また、支持パネル３０の保持片３７が前面パネル１１の受け孔３８に嵌まり込み、ピン４０が爪３９に引っ掛かる。フック５６も係止部５７に嵌まり込む。このようにして、支持パネル３０は前面パネル１１に装着される。支持パネル３０の下部では、保持片３７が挿入孔３５に保持される。支持パネル３０の上部では、フック５６が係止部５７に保持される。したがって、支持パネル３０は前方に向かって移動しないように保持される。特に、支持パネル３０の上部の長手方向の中央では、支持パネル３０が前後方向に移動しないように支持パネル３０を保持することができる。
【００３５】
支持パネル３０を開くとき、ユーザが支持パネル３０の下部を強く引っ張ると、爪３９が撓んでピン４０が外れ、保持片３７が受け孔３８から抜ける。支持パネル３０の下部をキャビネット１から離すことができる。そのまま支持パネル３０を上側に持ち上げると、支持片３３が挿入孔３５から抜け、図８に示すように、支持パネル３０が上軸３２周りに回動して開く。さらに支持パネル３０を上側に持ち上げると、図１１に示すように、フック５６が係止部５７から外れ、支持パネル３０がキャビネット１から取り外される。
【００３６】
空気調和機の図示しない室外機は、圧縮機、四方弁、室外熱交換器、膨張弁、室外ファンを備えている。圧縮機、四方弁、室外熱交換器、膨張弁、室内熱交換器５により冷凍サイクルが形成される。そして、空気調和機は、冷凍サイクルを制御して、冷房運転、暖房運転、除湿運転などの空調運転を行う制御装置を備えている。制御装置は、空調運転に応じて開閉パネル１３の開閉を制御する。
【００３７】
空調運転が開始されるとき、制御装置は、開閉パネル１３を開くように駆動部４３を動作させる。モータ５０が駆動されると、駆動ギア５１の回転により従動ギア４６が回転する。従動ギア４６の回転に伴って、第１リンク４４が上側に向かって回動する。第２リンク４５が前方に押されることにより下側に向かって回動し、開閉パネル１３の上部が前方に押される。開閉パネル１３が下部を中心にして開き、キャビネット１の前面の吸込口２が露出される。このとき、吹出口３から吹き出されて、上方に向かう風は開閉パネル１３に遮られ、直接吸込口３に達することがなく、ショートサーキットの発生を防げる。
【００３８】
空調運転が停止されると、制御装置は、開閉パネル１３を閉じるように駆動部４３を動作させる。モータ５０が逆回転されると、各リンク４４，４５が引き寄せられ、開閉パネル１３が閉じる。開閉時のモータ５０の駆動は、予め決められた時間（ステップ数）だけ行われる。
【００３９】
開閉パネル１３が開閉するとき、支持パネル３０は前面パネル１１から離れないように保持されている。そのため、従動ギア４６は駆動ギア５１にしっかりと噛み合い、確実に駆動力がリンク４４，４５に伝わり、安定した開閉パネル１３の開閉を行える。しかも、開閉パネル１３が長手方向の中央の一点で保持されているので、開閉パネル１３にねじれが生じて、長手方向の左右で開き具合が異なることがあっても、開閉パネル１３のねじれに関係なく開閉パネル１３に駆動力を作用させることができ、常に安定した開閉が可能となる。
【００４０】
なお、リンク４４，４５やギア４６，５１などの開閉用の部材は吸込口２の前方に位置している。キャビネット１の長手方向の中央には、左右のフィルタを保持するためのセンタ枠が設けられており、開閉用の部材はセンタ枠の前方に位置する。そのため、室内の空気が吸込口２から吸い込まれるとき、開閉用の部材は吸い込みの邪魔にはならない。また、開閉用の部材は長手方向の中央にのみ設けられているので、左右に複数のリンクを設ける場合に比べて開閉用の部材の点数を少なくできる。開閉パネル１３に開閉用の部材を設ける必要がないので、開閉パネル１３の重量が増えず、モータ５０にかかる負荷が減り、モータ５０を小型化できる。
【００４１】
（第２実施形態）
開閉パネル１３がねじれている場合、開閉パネル１３を閉じたときに開閉パネル１３の長手方向の左右のいずれか一側が先にキャビネット１に接触するが、他側はキャビネット１から離れている。すなわち、開閉パネル１３が完全に閉じられない事態となる。このような事態を避けるために、開閉パネル１３の長手方向の中央が左右両側よりもキャビネット１側にさらに移動できるようになっている。その他の構成は、第１実施形態と同じである。
【００４２】
開閉パネル１３が閉じたときに、開閉パネル１３の長手方向の中央部分が左右両端部分よりもキャビネット１に近づくように移動できるスペースが設けられる。すなわち、図１２に示すように、支持パネル３０の開閉パネル１３に対向する長手方向の上部の中央部分に、凹部６１が形成される。これにより、支持パネル３０と開閉パネル１３との間に、開閉パネル１３の長手方向の中央部分を移動させることができるだけのスペースが生じる。
【００４３】
そして、制御装置は、モータ５０を予め決められた駆動時間よりも少しだけ長い所定時間動作させる。駆動時間は、ねじれていない開閉パネル１３が閉じるまでの時間とされ、所定時間は、駆動時間に開閉パネル１３が凹部内を移動する時間を加えた時間とされる。
【００４４】
開閉パネル１３が閉じるとき、モータ５０が所定時間動作することにより、開閉パネル１３の長手方向の中央は支持パネル３０の前面よりもキャビネット１側に引き寄せられる。開閉パネル１３がねじれている場合、モータ５０の動作開始から駆動時間経過したときに開閉パネル１３の長手方向の一側が支持パネル３０に接触するが、他側は支持パネル３０に接触していない。モータ５０は停止せずにさらに駆動される。開閉パネル１３の上部の長手方向の中央部分が凹部６１内を移動し、開閉パネル１３全体がキャビネット１側に寄せられる。所定時間経過すると、モータ５０が停止される。開閉パネル１３の長手方向の他側も支持パネル３０に接触する。このように、開閉パネル１３の長手方向の左右両側が不均一になっていても、開閉パネル１３が閉じたときには左右の不均一が解消され、支持パネル３０と隙間のない状態で開閉パネル１３を閉じることができる。
【００４５】
（第３実施形態）
本実施形態の空気調和機では、支持パネル３０がキャビネット１に着脱可能に設けられ、支持パネル３０は開閉しない。開閉パネル１３は支持パネル３０に開閉可能に取り付けられる。支持パネル３０の上部の長手方向の左右両側に爪が設けられ、前面パネル１１に爪を係止する孔、突起などの係止部が設けられる。その他の構成は、第１あるいは第２実施形態と同じである。
【００４６】
支持パネル３０は、左右両側においてキャビネット１に保持されており、さらに固定部５５を設けることにより、キャビネット１に取り付けられた駆動ギア５１と支持パネル３０に取り付けられた従動ギア４６とが噛み合った状態を維持することができる。したがって、開閉パネル１３を安定して開閉することができる。
【００４７】
（第４実施形態）
本実施形態の空気調和機では、開閉パネル１３がキャビネット１に対して平行移動可能とされる。開閉パネル１３を移動させる移動体４２は、２本のリンクの中央を互いに回動可能に連結したリンク機構とされる。このリンク機構は、長手方向の左右両側にそれぞれ設けられる。２本のリンクの先端が開閉パネル１３に回動可能に取り付けられる。モータ５０、駆動ギア５１を有する駆動部４３は、キャビネット１の長手方向の中央に設けられる。駆動ギア５１に噛み合う従動ギア４６は、支持パネル３０の長手方向の中央に設けられる。従動ギア４６に、長手方向に平行な駆動軸が設けられ、駆動軸が左右のリンク機構の一方のリンクの後端にそれぞれ回動可能に連結される。その他の構成は、第１〜第３実施形態と同じである。
【００４８】
開閉パネル１３がキャビネット１から離れるように移動すると、吸込口２が開く。開閉パネル１３がキャビネット１に近づくように移動すると、吸込口２が閉じる。このとき、開閉パネル１３にねじれが生じていても、長手方向の中央にある駆動部４３から左右のリンク機構に駆動力を伝えることができ、安定した開閉パネル１３の開閉を行える。
【００４９】
以上の通り、本発明の空気調和機は、吸込口２および吹出口３を有するキャビネット１に、熱交換器５とファン６とが内装され、吸込口２を開閉する開閉パネル１３と、開閉パネル１３を保持してキャビネット１に対して移動させる移動体４２と、移動体４２に開閉パネル１３を移動させるための駆動力を与える駆動部４３とが設けられたものである。移動体４２および駆動部４３は、開閉パネル１３に対して長手方向の中央に配置され、移動体４２は、開閉パネル１３の長手方向の中央を保持する。
【００５０】
これにより、ねじれなどによる開閉パネル１３の長手方向の左右の不均一に関係なく、長手方向の中央において、開閉パネル１３の開閉のための駆動力を確保することができ、安定して開閉パネル１３を移動させることができる。
【００５１】
キャビネット１に、開閉パネル１３を移動可能に支持する支持パネル３０がキャビネット１から離れることができるように設けられ、駆動部４３は、キャビネット１に設けられ、移動体４２は、支持パネル３０に設けられて駆動部４３に接続される。これにより、移動体４２と駆動部４３との接続に対して、移動する開閉パネル１３の影響を排除することができ、開閉パネル１３の移動が安定して行われる。
【００５２】
支持パネル３０は、キャビネット１に開閉可能に取り付けられ、開閉パネル１３が移動するとき、支持パネル３０がキャビネット１に固定される。これにより、開閉パネル１３の移動時には支持パネル３０が動かないので、駆動部４３から移動体４２に駆動力を確実に伝えることができる。
【００５３】
開閉パネル１３の移動時に移動体４２と駆動部４３との接続を保持する固定部５５が設けられ、固定部５５は、駆動部４３の近くに配置される。これにより、開閉パネル１３の動きに影響を受けることなく、移動体４２と駆動部４３とが確実に接続され、安定して移動体４２に駆動力を与えることができる。
【００５４】
固定部５５は、支持パネル３０に設けられたフック５６と、フック５６を止める係止部５７とからなる。これにより、キャビネット１に設けられた係止部５７からフック５６を外すと、支持パネル３０をキャビネット１から離すことができる。また、開閉パネル１３は下部を中心に回動し、支持パネル３０は上部を中心に回動し、固定部５５は上部側に配置される。キャビネット１上部の空きスペースを利用して、駆動部４３を配置できる。
【００５５】
開閉パネル１３が閉じたときに、開閉パネル１３の長手方向の中央が左右両側よりもキャビネット１に近づくように移動できるスペースが設けられる。これにより、開閉パネル１３が閉じたときに開閉パネル１３の長手方向の左右両側とキャビネット１との間に生じる隙間をなくすことができる。
【００５６】
支持パネル３０の開閉パネル１３に対向する長手方向の中央部分に、凹部６１が形成され、支持パネル３０と開閉パネル１３との間にスペースが生じる。これにより、開閉パネル１３の長手方向の中央部分が凹部６１を移動して、開閉パネル１３の左右両側をキャビネット１側に寄せることができる。
【００５７】
なお、本発明は、上記実施形態に限定されるものではなく、本発明の範囲内で多くの修正・変更を加えることができるのは勿論である。移動体４２として、駆動ギア５１に噛み合うラックを用いてもよい。ラックは、支持パネル３０にスライド可能に支持され、ラックの先端が開閉パネル１３に取り付けられる。ラックの移動に伴って開閉パネル１３が前後方向に移動して、吸込口２が開閉される。
【００５８】
固定部５５として、磁石を用いてもよい。支持パネル３０あるいは前面パネル１１のいずれか一方に磁石が取り付けられ、他方に磁性体が取り付けられる。磁性体が磁石に吸着されることにより、支持パネル３０がキャビネット１から離れないように保持され、移動体４２と駆動部４３との接続を維持できる。
【符号の説明】
【００５９】
１    キャビネット
２    吸込口
３    吹出口
４    空気通路
５    室内熱交換器
６    室内ファン
１１    前面パネル
１３    開閉パネル
３０    支持パネル
４２    移動体
４３    駆動部
４４    第１リンク
４５    第２リンク
４６    従動ギア
５０    モータ
５１    駆動ギア
５５    固定部
５６    フック
５７    係止部
６１    凹部
【図１】
0006538374.tif 000002
【図２】
0006538374.tif 000003
【図３】
0006538374.tif 000004
【図４】
0006538374.tif 000005
【図５】
0006538374.tif 000006
【図６】
0006538374.tif 000007
【図７】
0006538374.tif 000008
【図８】
0006538374.tif 000009
【図９】
0006538374.tif 000010
【図１０】
0006538374.tif 000011
【図１１】
0006538374.tif 000012
【図１２】
0006538374.tif 000013